(57)【要約】【課題】ランスが過度に撓んでしまうことを防止することができるコネクタおよびワイヤハーネスを提供する。【解決手段】ランス１２は、ハウジング１０の外壁１０Ｂに形成され、端子２０に係合する係合位置と、この係合位置から外側に弾性撓みして端子２０の挿抜を許容する係合解除位置との間で弾性撓み可能とされ、ランス１２の先端面１２Ｂを、ハウジング１０の内側に向かって少しずつ先方に突出する傾斜とし、またハウジング１０の外壁１０Ｂのうちランス１２の先端面１２Ｂと対向する対向面１５Ａを、ハウジング１０の外側へ向かって少しずつランス１２側に突出する傾斜とし、ランス１２が係合解除位置を越えて外側に撓んだときには、ランス１２の先端面１２Ｂが対向面１５Ａに当たる設定とした。【選択図】図１２
2010040508.tif 000002
【特許請求の範囲】
【請求項１】
端子を収容可能なキャビティが内部に形成されたハウジングと、前記キャビティに挿入された前記端子に係合して同端子の抜け止めを図るランスとを備えたコネクタであって、
前記ランスは、前記ハウジングの外壁に形成され、前記端子に係合する係合位置と、この係合位置から外側に弾性撓みして前記端子の挿抜を許容する係合解除位置との間で弾性撓み可能とされ、
前記ランスの先端面を、前記ハウジングの内側に向かって少しずつ先方に突出する傾斜とし、また前記ハウジングの外壁のうち前記ランスの先端面と対向する対向面を、前記ハウジングの外側へ向かって少しずつ前記ランス側に突出する傾斜とし、前記ランスが前記係合解除位置を越えて外側に撓んだときには、前記ランスの先端面が前記対向面に当たる設定としたことを特徴とするコネクタ。
【請求項２】
前記ランスは、前記係合位置にあるときには前記ハウジングから外側に突出しないで配され、前記端子が前記キャビティの正規の位置に達していないときには、この端子と接触して前記ハウジングから外側に突出して配されることを特徴とする請求項１に記載のコネクタ。
【請求項３】
前記ランスの先端面には、前記治具と引っ掛かり可能な引掛部を設けたことを特徴とする請求項１または請求項２に記載のコネクタ。
【請求項４】
前記引掛部を、前記ランスの幅方向の中央に設けたことを特徴とする請求項３に記載のコネクタ。
【請求項５】
複数の支線を束ねてなる幹線に用品側配線を接続可能にしたワイヤハーネスであって、
請求項１ないし請求項４のいずれか一項に記載のコネクタと、
前記幹線と、
前記コネクタを前記幹線の外面に固定する固定部材と、
前記コネクタに設けられ、前記幹線から引き出された支線と前記用品側配線とを短絡させるバスバーとを備えたワイヤハーネス。
【請求項６】
複数の支線を束ねてなる幹線に用品側配線を接続可能にしたワイヤハーネスであって、
請求項１ないし請求項４のいずれか一項に記載のコネクタに、電線同士を短絡させるバスバーが設けられており、前記幹線から引き出された支線を前記コネクタに接続するとともに前記用品側配線を前記コネクタに接続することで、前記用品側配線と前記支線とを前記バスバーによって短絡させることを特徴とするワイヤハーネス。
【発明の詳細な説明】
【技術分野】
【０００１】
本発明は、ハウジングの外壁にランスを設けたコネクタおよびワイヤハーネスに関する。
【背景技術】
【０００２】
従来より、ハウジングに収容された端子を、ランスによって抜け止めするコネクタが知られている。その中でも、ハウジングの外壁にランスを形成したコネクタがある（例えば特許文献１）。このコネクタに設けられたランスは、ハウジングの内外方向に弾性撓み可能とされ、端子がキャビティに挿入される際には、ランスは外側に弾性撓みし、端子がキャビティの正規の位置に収容されると、内側に弾性復帰して端子に係合する。また、キャビティに収容した端子を抜き出す際には、ランスの先端に治具を引っ掛けてランスを外側に撓ませ、端子との係合を解除するようになっている。
【先行技術文献】
【特許文献】
【０００３】
【特許文献１】特開２００４−１４２２０号公報
【発明の概要】
【発明が解決しようとする課題】
【０００４】
しかしながら、上記のような構成では、治具によりランスを撓ませる際に、ランスが過度に撓んでしまい、ひいては破損等してしまうおそれがあった。
【０００５】
本発明は上記のような事情に基づいて完成されたものであって、ランスが過度に撓んでしまうことを防止することができるコネクタおよびワイヤハーネスを提供することを目的とする。
【課題を解決するための手段】
【０００６】
本発明は、端子を収容可能なキャビティが内部に形成されたハウジングと、前記キャビティに挿入された前記端子に係合して同端子の抜け止めを図るランスとを備えたコネクタであって、前記ランスは、前記ハウジングの外壁に形成され、前記端子に係合する係合位置と、この係合位置から外側に弾性撓みして前記端子の挿抜を許容する係合解除位置との間で弾性撓み可能とされ、前記ランスの先端面を、前記ハウジングの内側に向かって少しずつ先方に突出する傾斜とし、また前記ハウジングの外壁のうち前記ランスの先端面と対向する対向面を、前記ハウジングの外側へ向かって少しずつ前記ランス側に突出する傾斜とし、前記ランスが前記係合解除位置を越えて外側に撓んだときには、前記ランスの先端面が前記対向面に当たる設定としたことに特徴を有する。これにより、ランスが係合解除位置を越えて外側に撓むことを規制することができ、すなわちランスの過度の撓みを防止することができる。
【０００７】
前記ランスは、前記係合位置にあるときには前記ハウジングから外側に突出しないで配され、前記端子が前記キャビティの正規の位置に達していないときには、この端子と接触して前記ハウジングから外側に突出して配されるものとしてもよい。
このような構成によれば、ハウジングに端子を挿入した後、ハウジングの外壁に沿って検知治具をスライドさせれば、端子がキャビティの正規の位置に達していない場合（すなわち端子が半挿入の場合）には、検知治具がランスに接触し、端子が正規の位置に収容されている場合には、治具はランスに接触しないことによって、端子の半挿入を検知することができる。
【０００８】
前記ランスの先端面には、治具と引っ掛かり可能な引掛部を設けたものとしてもよい。これにより、治具を引掛部に引っ掛けてランスを撓ませることができるから、ランスの先端面に対して治具が滑ることを防止でき、ランスの係合解除を容易に行うことができる。
前記引掛部を、前記ランスの幅方向の中央に設けたものとしてもよい。このような構成によれば、治具によりランスを撓ませる力が、バランスよくランスに作用するから、ランスの係合解除を容易に行うことができる。
【０００９】
また、本発明は、複数の支線を束ねてなる幹線に用品側配線を接続可能にしたワイヤハーネスであって、上記のコネクタと、前記幹線と、前記コネクタを前記幹線の外面に固定する固定部材と、前記コネクタに設けられ、前記幹線から引き出された支線と前記用品側配線とを短絡させるバスバーとを備えた構成としてもよい。
【００１０】
このような構成によると、コネクタを固定部材によって幹線の外面に固定し、幹線から引き出された支線をコネクタに予め接続しておく。支線を用品側配線に分岐接続する場合には、用品側配線をコネクタに接続するだけでよく、これによって支線がバスバーを通じて用品側配線に分岐接続される。したがって、必要に応じて用品を後付けすることができる。
【００１１】
また、本発明は、複数の支線を束ねてなる幹線に用品側配線を接続可能にしたワイヤハーネスであって、上記のコネクタに、電線同士を短絡させるバスバーが設けられており、前記幹線から引き出された支線を前記コネクタに接続するとともに前記用品側配線を前記コネクタに接続することで、前記用品側配線と前記支線とを前記バスバーによって短絡させる構成としてもよい。
【００１２】
このようにすると、まず、バスバーが設けられてなるコネクタを用意し、幹線から引き出された支線をコネクタに接続する。次に、用品側配線をコネクタに接続することで、支線がバスバーを通じて用品側配線に分岐接続される。したがって、予めコネクタが幹線に装備されていない場合でも、必要に応じて用品を後付けすることができる。
【発明の効果】
【００１３】
本発明によれば、ランスが過度に撓んでしまうことを防止することができるコネクタを提供することができる。
【図面の簡単な説明】
【００１４】
【図１】実施形態１にかかるコネクタの使用状態を表す斜視図
【図２】コネクタの斜視図
【図３】ハウジングの表面図
【図４】同裏面図
【図５】同前面図
【図６】バスバーとハウジングとを組み付ける前の状態を表す斜視図
【図７】端子をハウジングに挿入する前の状態を表す側断面図
【図８】端子をハウジングに挿入している様子を表す側断面図
【図９】端子の半挿入を検知した状態を表す側断面図
【図１０】端子が正規の位置に収容された状態を表す側断面図
【図１１】治具孔に抜き治具を差し入れた状態を表す側断面図
【図１２】抜き治具でランスを外側に撓ませた状態を表す側断面図
【図１３】実施形態２にかかるコネクタの斜視図
【図１４】ハウジングの裏面図
【図１５】ハウジングの前面図
【図１６】治具孔に抜き治具を差し入れた状態を表す側断面図
【図１７】抜き治具でランスを外側に撓ませた状態を表す側断面図
【図１８】実施形態３において用品側配線をコネクタに接続する前の状態を表すワイヤハーネスの斜視図
【図１９】用品側配線をコネクタに接続した状態を表すワイヤハーネスの斜視図
【図２０】実施形態４において幹線から引き出された支線の端末部に端子を接続した状態を表す斜視図
【図２１】用品側配線の端子をコネクタに接続する前の状態を表すワイヤハーネスの斜視図
【図２２】用品側配線の端子をコネクタに接続した状態を表すワイヤハーネスの斜視図
【発明を実施するための形態】
【００１５】
＜実施形態１＞
本発明の実施形態１を図１〜図１２によって説明する。
本実施形態のコネクタＣ１は、端子２０を収容可能なキャビティ１１が内部に形成されたハウジング１０と、キャビティ１１に挿入された端子２０に係合して端子２０の抜け止めを図るランス１２と、キャビティ１１に収容された端子２０同士を短絡するバスバー３０とを備えてなるジョイントコネクタである。このコネクタＣ１は、図１に示すように、ワイヤハーネスの幹線Ａにテープ巻き（図示せず）により固定されて使用される。以下、各構成部材において、図１の左下側を前方、右上側を後方、上側を表方、下側を裏方として説明する。
【００１６】
ハウジング１０は合成樹脂製であって、全体として偏平な箱形をなしている。ハウジング１０の外壁のうち表側（ワイヤハーネスの幹線Ａに接する側とは反対側）の壁（表壁１０Ａ）にはリブ１３が設けられている。リブ１３は、表壁１０Ａから表側へ突出している。リブ１３は、ハウジング１０の後端に沿って設けられ、ハウジング１０の短手方向の略全幅に延びる形状をなしている（図３参照）。
【００１７】
また、ハウジング１０の前端には、両側方へ突出する一対の突部１４が設けられている。両突部１４は、ハウジング１０の表側に設けられ、表壁１０Ａに沿って突出している。このリブ１３と突部１４とにより、コネクタＣ１をワイヤハーネスの幹線Ａに巻き付けるテープが、ハウジング１０から前方または後方にずれて緩むことが規制され、コネクタＣ１はワイヤハーネスの幹線Ａに強固に固定される。
【００１８】
ハウジング１０の内部には、前後方向に細長いキャビティ１１が幅方向に４つ並んで形成されている。各キャビティ１１は、後述する端子２０の接続部２２よりも一回り大きい略長方形断面をなしている。各キャビティ１１には、後方から端子２０が挿入される。
【００１９】
ハウジング１０の裏壁１０Ｂ（外壁）には、各キャビティ１１をハウジング１０の裏側（外側）に開放する開口１５が形成されている（図４参照）。開口１５は、ハウジング１０の前後方向の中間部分に設けられ、ハウジング１０の幅方向に長い略長方形状をなしている。
【００２０】
ハウジング１０の裏壁１０Ｂには、ランス１２が形成されている。ランス１２は、ハウジング１０の開口１５の後縁から前方へ向かって片持ち状に延出している。ランス１２は４つ設けられ、すべてのランス１２は略同形・同大とされている。４つのランス１２は、各キャビティ１１の位置にあわせて幅方向に並んで配され、開口１５の大部分はランス１２に覆われている。
【００２１】
各ランス１２は、図７に示すように、前端部（自由端部）がキャビティ１１に突出する形状をなし、この突出した部分（係合部１２Ａと称する）が、端子２０の被係合部２３に係合して端子２０の後方への抜け止めを図る。なお、ランス１２の前端面１２Ｂのうち内側の部分が、係合部１２Ａの前端面を構成している。
【００２２】
各ランス１２は、ハウジング１０の内外方向に弾性撓み可能に設けられ、端子２０がキャビティ１１に挿入される際には、係合部１２Ａが端子２０の被係合部２３に乗り上げてランス１２は裏側（外側）に弾性撓みし、端子２０の挿入を許容する。このときのランス１２の位置が係合解除位置に該当する。また、端子２０が正規の位置（バスバー３０との接続が確実になされる位置）まで挿入されると、ランス１２は自然状態に復帰し、端子２０に係合した状態になる。このときのランス１２の位置が係合位置に該当する。
【００２３】
係合位置にあるランス１２は、その全体がハウジング１０から外側に突出しないで配され、ランス１２の裏面とハウジング１０の裏面（裏壁１０Ｂの裏面）とが平坦な面を構成する（図７参照）。そして、ランス１２は、係合位置から少しでも外側に撓むと、その一部分（前端部）がハウジング１０から外側に突出して配される。すなわち、端子２０が半挿入のときには、係合部１２Ａが被係合部２３に乗り上がったままになり、その分だけランス１２はハウジング１０の裏壁１０Ｂから突出した状態になる。
【００２４】
ランス１２の前端面１２Ｂ（本発明のランスの先端面に該当する）と開口１５との間の隙間は、抜き治具Ｊ１（本発明の治具に該当する）を差し入れ可能な治具孔１６とされている（図１１参照）。そして、治具孔１６に差し入れた抜き治具Ｊ１の先端を、ランス１２の前端面１２Ｂに引っ掛けて、ランス１２を係合解除位置に弾性撓みさせるようになっている。
【００２５】
端子２０は、導電性を有する金属板材から形成され、後部には、電線Ｗの端末部をかしめ付けるバレル部２１が設けられている。また、端子２０の前部には、前後方向に開放した角筒状をなす接続部２２が設けられ、この接続部２２には、ハウジング１０に組み付けられたバスバー３０の端子部３１が前方から挿入される。これにより、バスバー３０と端子２０との電気的な接続がなされる。
【００２６】
端子２０の接続部２２には、ランス１２の係合部１２Ａと係合可能な被係合部２３が設けられている。被係合部２３は、接続部２２の前端寄りの位置に設けられ、接続部２２から外側へ突出している。被係合部２３の後面は、突出端に向かって少しずつ後方へ張り出す傾斜の切り立った面とされ、この面に係合部１２Ａの前面が後方から係合する。
【００２７】
バスバー３０は、導電性の金属材から平板状に形成され、タブ状をなす４本の端子部３１を有している（図６参照）。４本の端子部３１は、連結部３２により連結され、キャビティ１１の配列ピッチと同ピッチで、互いに略平行に設けられている。バスバー３０は、各キャビティ１１に端子部３１を前方から圧入させて、ハウジング１０に組み付けられる。各端子部３１は、各キャビティ１１に突出して、キャビティ１１に収容された各端子２０の接続部２２に接続される。
【００２８】
さて、ランス１２の前端面１２Ｂは、ハウジング１０の内側に向かって少しずつ前方に突出する傾斜をなしている。この傾斜は、端子２０の被係合部２３の後面の傾斜と同等とされている。
【００２９】
また裏壁１０Ｂのうちランス１２の前端面１２Ｂと対向する対向面１５Ａ（開口１５の周面のうち前側の面）は、ハウジング１０の外側へ向かって少しずつ後側（ランス１２側）に突出する傾斜をなしている。この傾斜は、ランス１２の前端面１２Ｂの傾斜と同等とされ、ランス１２が係合位置にあるときには、ランス１２の前端面１２Ｂとハウジング１０の対向面１５Ａとは略平行をなす。
【００３０】
そして、ランス１２の前端面１２Ｂの傾斜と、ハウジング１０の対向面１５Ａの傾斜および互いの間隔は、ランス１２の弾性撓みが係合解除位置までの範囲内である場合には接触せず、ランス１２が係合解除位置を越えて外側に撓んだときに、接触する設定とされている。
【００３１】
ランス１２の前端面１２Ｂとハウジング１０の対向面１５Ａとが傾斜していることにより、治具孔１６は斜めに開口している。治具孔１６は、キャビティ１１から斜め上後方に向かってハウジング１０の裏壁１０Ｂを貫通している。
【００３２】
次に、ハウジング１０に対する端子２０の挿抜について説明する。
端子２０をキャビティ１１に挿入すると、図８に示すように、端子２０の被係合部２３にランス１２の係合部１２Ａが乗り上がり、ランス１２は外側へ弾性撓みする。そして、ランス１２は係合解除位置に至り、端子２０はキャビティ１１内を前進する。このときには、ランス１２の前端面１２Ｂは、ハウジング１０の対向面１５Ａに突き当たらないので、端子２０の挿入をスムーズに行うことができる。
【００３３】
そして、ハウジング１０に４本の端子２０を挿入し終えた後には、ハウジング１０の裏壁１０Ｂに沿って前方から後方へ検知治具Ｊ２をスライドさせる（図９参照）。ここで、端子２０がキャビティ１１の正規の位置に達していない場合（端子２０が半挿入の場合）には、ランス１２の前端部がハウジング１０から外側に突出して配されているから、検知治具Ｊ２がランス１２の前端面１２Ｂに突き当たってスライド動作が規制される。一方、端子２０がキャビティ１１の正規の位置に収容されている場合には、図１０に示すように、ランス１２は係合位置にあってハウジング１０から外側に突出しないで配されているから、検知治具Ｊ２はランス１２に接触することなくハウジング１０の裏面を後方へスライドする。したがって、検知治具Ｊ２をスライドさせることで、端子２０の半挿入を検知することができる。
【００３４】
そして、キャビティ１１から端子２０を抜脱するときには、図１１および図１２に示すように、治具孔１６に抜き治具Ｊ１の先端を差し入れ、ランス１２の前端面１２Ｂを引っ掛けてランス１２を外側へ持ち上げる。このとき、ランス１２が係合解除位置を超えて外側に撓んだときには、ランス１２の前端面１２Ｂの端縁（最も内側の縁）が、ハウジング１０の対向面１５Ａの内外方向の略中央位置に突き当たり、ランス１２のそれ以上の変位が規制される。したがって、ランス１２が係合解除位置を越えて外側に撓むこと、すなわちランス１２の過度の撓みを防止することができる。
【００３５】
ところで、本実施形態のハウジング１０の治具孔１６は、ハウジング１０を成形する際に金型片（図示せず）を斜め上後方に抜くことで形成される。ここで、例えば治具孔１６を本実施形態のように斜めに形成しないで、ハウジング１０の前後方向に対して略直交方向に形成して、上記のような設定（ランスが係合解除位置を越えて外側に撓んだときにランスの前端面が対向面に当たる設定）を実現するためには、ランスの前端面と対向面との間の間隔を非常に狭くしなければならない。しかしながら、金型片は、所定の金型強度を確保するために薄くすることに限界があるので、ランスの前端面とハウジングの対向面との間の間隔を非常に狭いものとすることは困難である。本実施形態では、ランス１２の前端面１２Ｂとハウジング１０の対向面１５Ａとを傾斜させたことにより、ランス１２の前端面１２Ｂと対向面１５Ａとの間の間隔をそれほど狭めなくても、上記の設定を実現することができる。
【００３６】
以上説明したように本実施形態によれば、ランス１２の前端面１２Ｂを、ハウジング１０の内側に向かって少しずつ先方に突出する傾斜とし、またハウジング１０の対向面１５Ａを、ハウジング１０の外側へ向かって少しずつランス１２側に突出する傾斜とし、ランス１２が係合解除位置を越えて外側に撓んだときには、ランス１２の前端面１２Ｂが対向面１５Ａに当たる設定としたから、ランス１２が係合解除位置を越えて外側に撓むことを規制することができ、すなわちランス１２の過度の撓みを防止することができる。
【００３７】
＜実施形態２＞
次に、本発明の実施形態２に係るコネクタＣ２を図１３〜図１７によって説明する。本実施形態のコネクタＣ２は、ランス１２の前端面１２Ｂに、抜き治具Ｊ１と引っ掛かり可能な引掛部５０を設けた点で、実施形態１とは相違する。なお、実施形態１と同様の構成には同一符号を付して重複する説明を省略する。
【００３８】
本実施形態に係るコネクタＣ２は、実施形態１と同様に、端子２０を収容可能なキャビティ１１が内部に形成されたハウジング１０と、各キャビティ１１に挿入された端子２０に係合して端子２０の抜け止めを図るランス１２とを備えてなる。
【００３９】
ランス１２は、実施形態１と同様、ハウジング１０の裏壁１０Ｂに形成され、端子２０に係合する係合位置と、端子２０の挿抜を許容する係合解除位置との間で内外方向に弾性撓み可能とされている。また、実施形態１と同様、端子２０をキャビティ１１から引き抜くときには、ランス１２の前端面１２Ｂに抜き治具Ｊ１の先端を引っ掛けて、ランス１２を係合解除位置に弾性撓みさせるようになっている。
【００４０】
そして、ランス１２の前端面１２Ｂには、引掛部５０が設けられている。引掛部５０は、ランス１２の前端面１２Ｂに形成された凹部であり、ランス１２が係合位置にあるときには、その凹む方向は、ハウジング１０の裏壁１０Ｂと略平行をなす（図１６参照）。また、引掛部５０は、ランス１２の幅方向の略中央位置に形成され、図１５に示すように、正面から見ると略円弧形状をなし、そのうち最も裏側の頂点は、ランス１２の内外方向の略中央、言い換えると、ランス１２の前端面１２Ｂのうち端子２０の被係合部２３の後面２３Ａと係合する部分よりも上側に位置している。
【００４１】
本実施形態においては、実施形態１と同様、ランス１２の前端面１２Ｂは、ハウジング１０の内側に向かって少しずつ先方に突出する傾斜とされ、またハウジング１０の対向面１５Ａは、ハウジング１０の外側へ向かって少しずつランス１２側に突出する傾斜とされ、ランス１２が係合解除位置を越えて外側に撓んだときには、ランス１２の前端面１２Ｂが対向面１５Ａに当たる設定とされているから、ランス１２の過度の撓みを防止することができる。
【００４２】
さらに、本実施形態においては、ランス１２の前端面１２Ｂに、抜き治具Ｊ１と引っ掛かり可能な引掛部５０を設けたから、抜き治具Ｊ１を引掛部５０に引っ掛けてランス１２を撓ませることができる。したがって、ランス１２の前端面１２Ｂに対して抜き治具Ｊ１が滑ることを防止でき、ランス１２の係合解除を容易に行うことができる。
【００４３】
また、引掛部５０を、ランス１２の幅方向の中央に設けたことから、抜き治具Ｊ１によりランス１２を撓ませる力が、バランス１２よくランス１２に作用するので、ランス１２の係合解除をさらに容易に行うことができる。
【００４４】
＜実施形態３＞
次に、本発明の実施形態３を図１８〜図１９によって説明する。本実施形態では、電源線や信号線などを束ねてなる幹線Ａ１から、用品（図示せず）側に信号線などの支線Ｂを分岐接続する場合を例示している。実施形態１と共通する構成については、同一の符号を用いるものとする。本実施形態のワイヤハーネスＷＨは、アルミ電線からなる幹線Ａ１を使用しており、アルミ電線は、アルミニウムまたはアルミニウム合金製の素線を複数本撚り合わせた撚り線によって芯線が形成され、この芯線が合成樹脂製の絶縁被膜で覆われてなる構成である。
【００４５】
アルミ電線は、酸化膜などからなる非導電性の皮膜が表面に形成されやすく、用品側配線Ｗ１に分岐接続する場合、一対の圧接刃が対向状態で配設された圧接端子（例えば特開２００７−８７８６１号公報参照）を用いた場合、両圧接刃間にアルミ電線を圧入するだけでは表面の皮膜を十分に削り取ることができず、導通不良を起こしたり、接触抵抗が増加するなどの不具合が起こりやすい。このため、アルミ電線を接続する場合には、端子２０の構成のように、かしめ付けによって圧着接続することが望ましい。このような理由により、本実施形態では、アルミ電線からなる支線Ｂの端末部に端子２０をかしめ付けて接続し、この端子２０をコネクタＣ１のキャビティ１１に挿入するようにしている。
【００４６】
ワイヤハーネスＷＨは、図１８に示すように、幹線Ａ１と、この幹線Ａ１の外周面に装備されたコネクタＣ１とを備えている。コネクタＣ１は、テープなどの固定部材６０を巻き付けることにより幹線Ａ１に固定されている。幹線Ａ１から支線Ｂを引き出して切断し、支線Ｂの両端末部にそれぞれ端子２０が導通可能に接続されている。これらの端子２０は、それぞれキャビティ１１に挿入されている。このため両端子２０は、バスバー３０によって短絡した状態で接続されている。したがって、支線Ｂは、バスバー３０を通じて導通可能に接続されている。
【００４７】
用品は、用品側配線Ｗ１を備えている。用品側配線Ｗ１の端末部には、端子２０が導通可能に接続されている。コネクタＣ１は、４つのキャビティ１１を備えているため、支線Ｂの両端子２０がコネクタＣ１に接続された状態では、２つのキャビティ１１が空きとなっている。このため、図１９に示すように、２つの空きキャビティ１１のいずれか一方に、用品側配線Ｗ１の端子２０を挿入すると、用品側配線Ｗ１の端子２０がバスバー３０を通じて支線Ｂの端子２０と導通可能に接続される。これにより、支線Ｂがバスバー３０および端子２０を通じて用品側配線Ｗ１に導通可能に接続される。こうして、支線Ｂが用品側配線Ｗ１に分岐接続される。
【００４８】
以上のように本実施形態では、支線Ｂを用品側配線Ｗ１に分岐接続する場合には、用品側配線Ｗ１の端子２０をコネクタＣ１のキャビティ１１に挿入するだけでよく、これによって支線Ｂがバスバー３０を通じて用品側配線Ｗ１に分岐接続される。特に、アルミ電線を用いた場合に、圧接端子によって支線Ｂから用品側配線Ｗ１に分岐接続するよりも接続信頼性を高めることができる。したがって、必要に応じて用品を後付けすることができる。
【００４９】
＜実施形態４＞
次に、本発明の実施形態４を図２０〜図２２によって説明する。本実施形態では、実施形態３とは異なり、予めコネクタＣ１が幹線Ａ１に装備されておらず、用品を後付けする必要が生じたときに、コネクタＣ１を用いて幹線Ａ１から支線Ｂを分岐接続する場合を例示している。実施形態１と共通する構成については、同一の符号を用いるものとする。また、本実施形態のワイヤハーネスＷＨでは、アルミ電線からなる幹線Ａ１を使用しており、この点については、実施形態３と同様である。
【００５０】
まず、図２０に示すように、幹線Ａ１から必要となる支線Ｂを引き出して切断し、この切断された支線Ｂの両端末部にそれぞれ端子２０を導通可能に接続する。次に、図２１に示すように、コネクタＣ１を持ち出してコネクタＣ１のキャビティ１１に端子２０をそれぞれ挿入する。これにより、両端子２０は、バスバー３０によって短絡した状態で接続され、支線Ｂは、バスバー３０を通じて導通可能に接続される。こうして、ワイヤハーネスＷＨが完成する。
【００５１】
一方、図２２に示すように、用品側配線Ｗ１の端末部に端子２０を導通可能に接続し、この端子２０をコネクタＣ１のキャビティ１１に挿入する。すると、用品側配線Ｗ１側の端子２０がバスバー３０を通じて支線Ｂ側の端子２０と導通可能に接続される。これにより、支線Ｂが端子２０およびバスバー３０を通じて用品側配線Ｗ１に導通可能に接続され、支線Ｂは用品側配線Ｗ１に分岐接続される。
【００５２】
以上のように本実施形態では、アルミ電線を用いた場合に、圧接端子によって支線Ｂから用品側配線Ｗ１に分岐接続するよりも接続信頼性を高めることができる。また、予めコネクタＣ１が幹線Ａ１に装備されていない場合でも、必要に応じて用品を後付けすることができる。
【００５３】
＜他の実施形態＞
本発明は上記記述及び図面によって説明した実施形態に限定されるものではなく、例えば次のような実施形態も本発明の技術的範囲に含まれる。
【００５４】
（１）上記実施形態では、係合位置にあるランス１２の先端面とハウジング１０の対向面１５Ａとは略平行をなすものとされているが、これに限らず、ランスの先端面とハウジングの対向面とは異なる傾斜をなしていてもよい。
【００５５】
（２）実施形態２では、引掛部５０は、ランス１２の先端面に形成された凹部であるが、抜き治具の先端と引っ掛かり可能であれば引掛部をどのような形態としてもよく、例えば、ランスの先端面に複数の細かい横溝を形成してもよい。
【００５６】
（３）実施形態３ないし４では、アルミ電線からなる幹線Ａ１を例示しているものの、本発明によると、銅線からなる幹線としてもよく、この場合には、端子２０およびバスバー３０を用いる代わりに圧接端子を用いて支線Ｂと用品側配線Ｗ１とを直接接続してもよい。
【符号の説明】
【００５７】
Ｃ１，Ｃ２…コネクタ
Ｊ１…抜き治具（治具）
１０…ハウジング
１０Ｂ…裏壁（外壁）
１１…キャビティ
１２…ランス
１２Ｂ…ランスの前端面（ランスの先端面）
１５Ａ…対向面
２０…端子
３０…バスバー
５０…引掛部
６０…固定部材
Ａ１…幹線
Ｂ…支線
Ｗ１…用品側配線
ＷＨ…ワイヤハーネス
【図１】
2010040508.tif 000003
【図２】
2010040508.tif 000004
【図３】
2010040508.tif 000005
【図４】
2010040508.tif 000006
【図５】
2010040508.tif 000007
【図６】
2010040508.tif 000008
【図７】
2010040508.tif 000009
【図８】
2010040508.tif 000010
【図９】
2010040508.tif 000011
【図１０】
2010040508.tif 000012
【図１１】
2010040508.tif 000013
【図１２】
2010040508.tif 000014
【図１３】
2010040508.tif 000015
【図１４】
2010040508.tif 000016
【図１５】
2010040508.tif 000017
【図１６】
2010040508.tif 000018
【図１７】
2010040508.tif 000019
【図１８】
2010040508.tif 000020
【図１９】
2010040508.tif 000021
【図２０】
2010040508.tif 000022
【図２１】
2010040508.tif 000023
【図２２】
2010040508.tif 000024